【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
当該回胴式遊技機に投入されたメダルを、遊技に有効なメダルと無効なメダルとに選別するものであって、前記有効とされたメダルを検出する第１検出手段を備えたメダルセレクタと、
少なくとも、該メダルセレクタにより遊技に有効なメダルとして選別されたメダルを蓄えるホッパーと、
前記メダルセレクタにより有効とされたメダルを、前記メダルセレクタから前記ホッパーへと誘導するための誘導部と、
該誘導部に設けられ、該誘導部により誘導されるメダルを検出する第２検出手段と、
前記第１検出手段によりメダルが検出されてから前記第２検出手段によりメダルが検出されるまでの所要時間に基づき、不正行為が当該回胴式遊技機に対して行なわれたか否かを判定する第２不正行為検出手段と、
前記不正行為が行なわれたと前記第２不正行為検出手段が判定した場合に報知動作を行なう第１報知手段と
を備えたことを特徴とする回胴式遊技機。
【請求項２】
請求項１に記載の回胴式遊技機において、
前記第２検出手段は、前記誘導部において前記メダルセレクタよりも前記ホッパー寄りの位置におけるメダルの通過を検出するものであることを特徴とする回胴式遊技機。
【請求項３】
請求項１または２に記載の回胴式遊技機において、
前記第１検出手段は、メダルを検出するための少なくとも２個のセンサを備えたものであり、
該２個のセンサがメダルを検出した時間差に基づいて、異常が発生したか否かを判定する異常検出手段と、
前記異常が発生したと前記異常検出手段が判定した場合に報知動作を行なう第２報知手段と、
を備え、該第２報知手段による報知動作は、前記第１報知手段による報知動作と異なることを特徴とする回胴式遊技機。
【請求項４】
請求項１から３のいずれかに記載の回胴式遊技機において、
前記メダルセレクタに投入されたメダルを、前記第１検出手段に検出させることなく当該回胴式遊技機の外部へ排出する排出手段を備え、
前記第１報知手段により報知動作が行なわれる場合には、前記排出手段を稼動させることを特徴とする回胴式遊技機
【手続補正２】
【補正対象書類名】明細書
【補正対象項目名】０００６
【補正方法】変更
【補正の内容】
【０００６】
上記課題を解決するためになされた本発明の参考例の回胴式遊技機は、当該回胴式遊技機に投入されたメダルを、遊技に有効なメダルと無効なメダルとに選別するものであって、前記有効とされたメダルを検出する第１検出手段を備えたメダルセレクタと、少なくとも、該メダルセレクタにより遊技に有効なメダルとして選別されたメダルを蓄えるホッパーと、前記メダルセレクタにより有効とされたメダルを、前記メダルセレクタから前記ホッパーへと誘導するための誘導部と、該誘導部に設けられ、該誘導部により誘導されるメダルを検出する第２検出手段と、前記第１検出手段により検出されたメダルの枚数と前記第２検出手段により検出されたメダルの枚数とに基づき、不正行為が当該回胴式遊技機に対して行なわれたか否かを判定する第１不正行為検出手段と、前記不正行為が行なわれたと前記第１不正行為検出手段が判定した場合に報知動作を行なう第１報知手段とを備えたことを特徴とする。
【手続補正３】
【補正対象書類名】明細書
【補正対象項目名】０００７
【補正方法】変更
【補正の内容】
【０００７】
請求項１に記載の本発明は、当該回胴式遊技機に投入されたメダルを、遊技に有効なメダルと無効なメダルとに選別するものであって、前記有効とされたメダルを検出する第１検出手段を備えたメダルセレクタと、少なくとも、該メダルセレクタにより遊技に有効なメダルとして選別されたメダルを蓄えるホッパーと、前記メダルセレクタにより有効とされたメダルを、前記メダルセレクタから前記ホッパーへと誘導するための誘導部と、該誘導部に設けられ、該誘導部により誘導されるメダルを検出する第２検出手段と、前記第１検出手段によりメダルが検出されてから前記第２検出手段によりメダルが検出されるまでの所要時間に基づき、不正行為が当該回胴式遊技機に対して行なわれたか否かを判定する第２不正行為検出手段と、前記不正行為が行なわれたと前記第２不正行為検出手段が判定した場合に報知動作を行なう第１報知手段とを備えたことを特徴とする回胴式遊技機をその要旨とする。
請求項２に記載の本発明は、請求項１に記載の回胴式遊技機において、前記第２検出手段は、前記誘導部において前記メダルセレクタよりも前記ホッパー寄りの位置におけるメダルの通過を検出するものであることを特徴とする。
【手続補正４】
【補正対象書類名】明細書
【補正対象項目名】０００８
【補正方法】変更
【補正の内容】
【０００８】
請求項３に記載の本発明は、請求項１または２に記載の回胴式遊技機において、前記第１検出手段は、メダルを検出するための少なくとも２個のセンサを備えたものであり、該２個の前記センサがメダルを検出した時間差に基づいて、異常が発生したか否かを判定する異常検出手段と、前記異常が発生したと前記異常検出手段が判定した場合に報知動作を行なう第２報知手段とを備え、該第２報知手段による報知動作は、前記第１報知手段による報知動作と異なることを特徴とする。
請求項４に記載の本発明は、請求項１から３のいずれかに記載の回胴式遊技機において、前記メダルセレクタに投入されたメダルを、前記第１検出手段に検出させることなく当該回胴式遊技機の外部へ排出する排出手段を備え、前記第１報知手段により報知動作が行なわれる場合には、前記排出手段を稼動させることを特徴とする。
【手続補正５】
【補正対象書類名】明細書
【補正対象項目名】０００９
【補正方法】変更
【補正の内容】
【０００９】
前記参考例の回胴式遊技機によれば、メダルセレクタに投入されたメダルを検出するために従来よりある第１検出手段だけでなく、第２検出手段による検出結果に基づいて、不正行為が行なわれたか否かを判定する。ここでは特に第１検出手段、および第２検出手段は、それぞれメダルの枚数を検出する。そして第２検出手段は、メダルセレクタの外部にある誘導部に設けられている。このため、不正行為を行なうには、第１検出手段だけでなく第２検出手段に対しても誤検出を行なわせる必要がある。従って、不正行為を行なうのが困難となるので不正行為を防止することができる。
【手続補正６】
【補正対象書類名】明細書
【補正対象項目名】００１１
【補正方法】変更
【補正の内容】
【００１１】
請求項１に記載の回胴式遊技機は、前記参考例の回胴式遊技機と共通点が多いが、第１検出手段がメダルを検出してから、第２検出手段がメダルを検出するまでの時間に基づいて不正行為が行なわれたか否かを判定する点が異なる。第２検出手段は、メダルセレクタの外部にあるため、不正行為により、これら両検出手段に「メダルが通過した」と誤検出させるのは困難である。従って、不正行為を防止することができる。
なお、前記参考例に請求項１に記載の本発明を適用しても構わない。この場合、第１報知手段は、第１検出手段および第２検出手段の検出結果に基づくメダルの枚数か、第１検出手段および第２検出手段の検出結果に基づくメダルの通過所要時間が不適切な場合に報知動作を行なうことになる。
【手続補正７】
【補正対象書類名】明細書
【補正対象項目名】００１２
【補正方法】変更
【補正の内容】
【００１２】
請求項２に記載の回胴式遊技機は、第２検出手段は、誘導部においてメダルセレクタよりもホッパー寄りの位置におけるメダルの通過を検出する。つまり、第１検出手段から第２検出手段は、かなりの距離はなれていることになる。この結果、例えば、これら第１検出手段、第２検出手段に誤検出させるために、ＬＥＤなどの発光素子（当然、第１および第２検出手段に誤検出させるために発光素子も複数備えることになる）を備えた基板をメダル投入口などから挿入しても、第１検出手段から遠く離れた第２検出手段の位置に正確に発光素子を位置させるのは困難である。しかも通常、メダルセレクタの内部は複雑な形状をしているので、前記基板は柔軟性を持たせる必要があり、この結果、第２検出手段に誤検出させるための発光素子を適切に位置させるのが、一層困難となる。
なお、第２検出手段を、誘導部においてホッパーよりもメダルセレクタ寄りの位置におけるメダルの通過を検出するように構成しても、第２検出手段はメダルセレクタの外部におけるメダルの通過を検出することになるので、第２検出手段に誤検出させるのは、やはり困難である。請求項２のように誘導部においてメダルセレクタよりもホッパー寄りの位置におけるメダルの通過を検出するように構成すれば誤検出の難易度が一層あがるということである。
【手続補正８】
【補正対象書類名】明細書
【補正対象項目名】００１３
【補正方法】変更
【補正の内容】
【００１３】
請求項３に記載の回胴式遊技機は、第１検出手段は、メダルを検出するための少なくとも２個のセンサを備えており、これら２個のセンサがメダルを検出した時間差に基づいて、異常検出手段が、異常の発生を判定する。そして、異常が発生したと異常検出手段により判定されると、第２報知手段が、第１報知手段による報知動作とは異なる報知動作を行なう。
ここで、第１検出手段をなす２個のセンサの検出結果に基づいてメダル投入口に投入されたメダルを検出するのは、既に一般に行なわれていることである。すなわち、例えばフォトインタラプタなどのセンサを、メダル投入口付近のメダル通路に２個設置すると、この部分をメダルが通過した場合に２個のフォトインタラプタの検出結果には必ず時間差が生じる。この時間差を、正規のメダルを投入した際の時間差と比較することにより、メダルが通過したことや、通過した方向や、通過した回数（枚数）を検出することが行なわれている。
【手続補正９】
【補正対象書類名】明細書
【補正対象項目名】００１４
【補正方法】変更
【補正の内容】
【００１４】
だがこの検出方法では、不正行為でなくてもメダルの汚れや遊技者が激しくメダルを投げ込んだ場合などが原因で誤検出が発生しうる。そこで本発明では、この誤検出を、前記第２不正行為検出手段とは独立して異常検出手段が行ない、報知動作も、第１報知手段とは異なる態様にて第２報知手段が行なう。
こうすると、不正行為が行なわれた可能性が高い第２不正行為検出手段による判定結果と、不正行為ではない可能性が高い異常検出手段による判定結果とを異なる態様にて報知することが可能となる。これにより例えば、第１報知手段による報知動作は、周囲に響き渡るような大音響で行なって、不正行為を即座にやめさせる一方、第２報知手段による報知動作は、ホールコンピュータに異常が検知された旨を報告するだけにし、特定の遊技機から繰り返しこの報告が来る場合に初めて、ホールの管理者などがその遊技機を点検に行くといった運用を行なうことが可能となる。なお、「異なる報知動作」とは両報知動作が全く異なることのみを指すのではない。例えば第２報知手段はランプの点滅で報知し、第１報知手段はランプの点滅と大音響で報知するといったように、報知動作の一部が共通していても構わない。
【手続補正１０】
【補正対象書類名】明細書
【補正対象項目名】００１５
【補正方法】変更
【補正の内容】
【００１５】
なお、第１検出手段と同様に、第２検出手段も２個のセンサを備えたものとし、これらがメダルを検出した時間差に基づいて、メダルの通過を検出するように構成してももちろん構わない。また、請求項３の本発明には反するが、第１検出手段はセンサを１個のみ備えたものとし、第２検出手段のみ２個のセンサを備えたものとしてもよい。
【手続補正１１】
【補正対象書類名】明細書
【補正対象項目名】００１６
【補正方法】変更
【補正の内容】
【００１６】
請求項４に記載の回胴式遊技機は、第１報知手段により報知動作が行なわれる場合には、排出手段を稼動させて、投入されたメダルを、第１検出手段に検出させることなく当該回胴式遊技機の外部へ排出する。
第１報知手段により報知動作が行なわれる場合とは、不正行為が行なわれている可能性が高い場合であるから、速やかにその遊技機における遊技を中断させるのが望ましい。しかし、こうした事態が発生して報知動作が行なわれても、店員が即座に対応できるとは限らない。この点、本発明の回胴式遊技機によれば、第１報知手段により報知動作が行なわれる場合には、メダルセレクタに投入されたメダルが第１検出手段に検出させることなく当該遊技機の外部に排出されるので、不正行為による被害を最小限に抑えることができる。
【手続補正１２】
【補正対象書類名】明細書
【補正対象項目名】００１７
【補正方法】変更
【補正の内容】
【００１７】
なお、「第１報知手段により報知動作が行なわれる場合」とは、報知動作を行うと第１報知手段が決定した時点のみを指す訳ではない。例えば、実際に第１報知手段による報知動作が行なわれてからでもよいし、第２不正行為検出手段が、当該回胴式遊技機に対して不正行為が行なわれたと判定した時点でもよい。この場合には第１報知手段により報知動作が行なわれるからである。
【手続補正１３】
【補正対象書類名】明細書
【補正対象項目名】００１９
【補正方法】変更
【補正の内容】
【００１９】
以下に本発明の参考例について説明する。尚、本発明の実施の形態は下記の参考例および実施例に何ら限定されるものではなく、本発明の技術的範囲に属する種々の形態を採ることができ、参考例および実施例に記載された内容を適宜組み合わせることが可能なことはいうまでもない。
［参考例］
【手続補正１４】
【補正対象書類名】明細書
【補正対象項目名】００２０
【補正方法】変更
【補正の内容】
【００２０】
図１に示すように、本参考例の回胴式遊技機１の前面には表示窓２（３×３の停止図柄の有効領域を表示可能とする）を備えた表示パネル３が設置されている。
表示窓２の背後には３本のリール４（それぞれを区別する場合は、左から順にリール４Ｌ、４Ｃ、４Ｒ、その他の部品等についても左、中、右を区別する場合は符号にＬ、Ｃ、Ｒを添える。）を有する図示しない回胴機構部が配されており、各リール４に設けられている図柄の中の３図柄ずつを表示窓２から視認できる。また、表示窓２の周囲にはベットランプ５や複数のデジタル表示部６ａ等が配されている。表示窓２の上方には、演出表示部１５ａが備えられ、遊技の結果に基づいた演出等の実行が行われる。
表示窓２の下方には、ベットスイッチ７、始動レバー８（始動装置に該当）、停止スイッチ９（回胴停止手段に該当。それぞれを区別する場合は、左から順に停止スイッチ９Ｌ、９Ｃ、９Ｒ）、メダル投入口１８等を備える操作部１１が設けられている。そして、最下部には受皿１２やスピーカボックス１３、メダル排出口１９等を備える下部構造部１４が設けられている。
【手続補正１５】
【補正対象書類名】明細書
【補正対象項目名】００２１
【補正方法】変更
【補正の内容】
【００２１】
本発明の参考例に係る回胴式遊技機１の電気ブロック図を図２に示す。主制御基板４０はワンチップマイコン、入力ポート、出力ポート等を備えている。
主制御基板４０には、ベットスイッチ７の操作信号、精算スイッチ１６の操作信号、メダル検出スイッチ１０（本参考例では４個備えられており、それぞれ１０ａ、１０ｂ、１０ｃ、１０ｄ）のメダル検出信号、始動レバー８の操作信号（始動信号）、停止スイッチ９Ｌ〜Ｒの操作信号、各リール４の位置検出センサ４１の信号等が入力される。
【手続補正１６】
【補正対象書類名】明細書
【補正対象項目名】００２４
【補正方法】変更
【補正の内容】
【００２４】
なお、本参考例ではＲＢゲーム数表示、ＲＢ実行数表示及びカウント数表示を演出画像表示装置１５で表示を行う構成である。別に各々の表示部を設け表示する構成でも良い。また、クレジット表示装置６、ベット数表示装置５、払出メダル数表示装置１７いずれか又は全部を廃して、その表示を演出画像表示装置１５にて行ってもよい。
主制御基板４０には払出制御基板５０が双方向通信回路として接続されており、払出制御基板５０は主制御基板４０から受信した払出要求データに基づいて獲得メダル払出装置５１（払出手段）を稼働させてメダルの払出を行わせる。その際に、払出制御基板５０は払出検出スイッチ５２の検出信号に基づいて払出されるメダルを計数する。
【手続補正１７】
【補正対象書類名】明細書
【補正対象項目名】００４７
【補正方法】変更
【補正の内容】
【００４７】
ここで本参考例の構成・状態と、本発明の構成要件との対応関係を示す。スイッチ１０ａ、１０ｂが本発明の「第１検出手段」に相当し、スイッチ１０ｃ、１０ｄが本発明の「第２検出手段」に相当し、誘導樋６３が本発明の「誘導部」に相当し、キャンセルゲート６１およびソレノイド６１ａが本発明の「排出手段」に相当し、Ｓ４００〜Ｓ４１５の処理が本発明の参考例の「第１不正行為検出手段」に相当し、Ｓ４２０の処理が本発明の「第１報知手段」に相当し、Ｓ１００〜Ｓ１７０の処理およびＳ３００〜Ｓ３７０の処理が本発明の「異常検出手段」に相当し、Ｓ１７５，Ｓ３７５の処理が本発明の「第２報知手段」に相当する。
【手続補正１８】
【補正対象書類名】明細書
【補正対象項目名】００４８
【補正方法】変更
【補正の内容】
【００４８】
［実施例］
参考例の回胴式遊技機１では、Ｃ１、Ｃ２でカウントすることにより不正行為の有無を判定したが、本発明の実施例では、スイッチ１０ａ、１０ｂがメダルを検出してからスイッチ１０ｃ、１０ｄがメダルを検出するまでの時間に基づいて判定する。こうして不正を検出するのが「第２不正行為検出手段」としての処理に相当する。
また、Ｃ１が１０になるごと（Ｓ２１０）にＣ２の値をチェックしていたが（Ｓ４１５）、Ｃ１が１０以外の数値になるごとにＣ２の値をチェックしても構わない。Ｃ１が１になるごとにＣ２の値をチェックすれば、メダルを１枚投入するごとにチェックすることになる。逆に１１になるごとにＣ２の値をチェックすれば、Ｃ１，Ｃ２の値が途中で不一致となっても、最大１１枚（メダル出口１から排出されたものは除く）までは許容することになる。
なお、Ｃ１、Ｃ２を０にする処理が各所に存在するが、これらをやめ、回胴式遊技機１が稼動している間中、メダルをカウントし続けるようにしても良い。そして第２異常報知処理（Ｓ４２０）を実行し、それが解除されたときに初めて０に戻すように構成してもよい。